(57)【特許請求の範囲】
【請求項１】
第１のネットワークと接続する第１の接続手段と、
前記第１のネットワークと異なる第２のネットワークと接続する第２の接続手段と、
前記第１のネットワーク上に割り振られる自己の固有ＩＤを生成するＩＤ生成手段と、
前記第２の接続手段を介して前記第２のネットワークに接続された相手機器に対して前記自己の固有ＩＤを通知するＩＤ通知手段と、
前記第２の接続手段を介して前記第２のネットワークに接続された相手機器の固有ＩＤを取得するＩＤ取得手段と、
前記自己の固有ＩＤ及び前記相手機器の固有ＩＤを比較するＩＤ比較手段と、
前記比較手段による比較の結果、前記自己の固有ＩＤ及び前記相手機器の固有ＩＤが一致する場合には、両ＩＤが不一致となるように固有ＩＤの再設定を制御するＩＤ再設定制御手段と、
前記第１の接続手段を介して前記第１のネットワークに接続された相手機器から第１の識別情報を収集する識別情報収集手段と、
前記第２の接続手段を介して前記第２のネットワークに接続された相手機器に対して前記第１の識別情報を通知する識別情報通知手段と、
前記第２の接続手段を介して前記第２のネットワークに接続された相手機器から第２の識別情報を取得する識別情報取得手段と、
前記第１の接続手段を介して前記第１のネットワークに接続された相手機器からの識別情報に関する問合せに対して、前記第２の識別情報を返す応答手段と、
を備えたことを特徴とする中継装置。
【請求項２】
第１のネットワークと接続する第１の接続手段と、
前記第１のネットワークと異なる第２のネットワークと接続する第２の接続手段と、
前記第１のネットワーク上に割り振られる自己の固有ＩＤを生成するＩＤ生成手段と、
前記第２の接続手段を介して前記第２のネットワークに接続された相手機器に対して前記自己の固有ＩＤを通知するＩＤ通知手段と、
前記第２の接続手段を介して前記第２のネットワークに接続された相手機器の固有ＩＤを取得するＩＤ取得手段と、
前記自己の固有ＩＤ及び前記相手機器の固有ＩＤを比較するＩＤ比較手段と、
前記比較手段による比較の結果、前記自己の固有ＩＤ及び前記相手機器の固有ＩＤが一致する場合には、両ＩＤが不一致となるように固有ＩＤの再設定を制御するＩＤ再設定制御手段と、
前記第１のネットワーク上の相手機器の台数を検出する台数検出手段と、
前記台数検出手段による相手機器の台数の検出結果に基づき、相手機器との接続制限に関する情報を通知する接続制限情報通知手段と、
を備えたことを特徴とする中継装置。
【請求項３】
前記第１のネットワーク上の相手機器の台数を検出する台数検出手段と、
前記台数検出手段による相手機器の台数の検出結果に基づき、相手機器との接続制限に関する情報を通知する接続制限情報通知手段と、
を備えたことを特徴とする請求項１に記載の中継装置。
【請求項４】
第１のネットワークと接続する第１の接続手段と、
前記第１のネットワークと異なる第２のネットワークと接続する第２の接続手段と、
前記第１のネットワーク上に割り振られる自己の固有ＩＤを生成するＩＤ生成手段と、
前記第２の接続手段を介して前記第２のネットワークに接続された相手機器に対して前記自己の固有ＩＤを通知するＩＤ通知手段と、
前記第２の接続手段を介して前記第２のネットワークに接続された相手機器の固有ＩＤを取得するＩＤ取得手段と、
前記自己の固有ＩＤ及び前記相手機器の固有ＩＤを比較するＩＤ比較手段と、
前記比較手段による比較の結果、前記自己の固有ＩＤ及び前記相手機器の固有ＩＤが一致する場合には、両ＩＤが不一致となるように固有ＩＤの再設定を制御するＩＤ再設定制御手段と、
を備え、
前記ＩＤ再設定制御手段は、
前記自己の固有ＩＤ及び前記相手機器の固有ＩＤが一致する場合に、前記自己の固有ＩＤ及び前記相手機器の固有ＩＤのうちのどちらか一方だけを再設定させる、
ことを特徴とする中継装置。
【請求項５】
第１のネットワークと接続する第１の接続手段と、
前記第１のネットワークと異なる第２のネットワークと接続する第２の接続手段と、
前記第１のネットワーク上に割り振られる自己の固有ＩＤを生成するＩＤ生成手段と、
前記第２の接続手段を介して前記第２のネットワークに接続された相手機器に対して前記自己の固有ＩＤを通知するＩＤ通知手段と、
前記第２の接続手段を介して前記第２のネットワークに接続された相手機器の固有ＩＤを取得するＩＤ取得手段と、
前記自己の固有ＩＤ及び前記相手機器の固有ＩＤを比較するＩＤ比較手段と、
前記比較手段による比較の結果、前記自己の固有ＩＤ及び前記相手機器の固有ＩＤが一致する場合には、両ＩＤが不一致となるように固有ＩＤの再設定を制御するＩＤ再設定制御手段と、
前記第１のネットワークにおける接続状態の変更を検出する接続状態変更検出手段と、
前記接続状態変更検出手段により検出された接続状態の変更を前記第２のネットワークに接続された相手機器に通知する接続状態変更通知手段と、
を備えたことを特徴とする中継装置。
【請求項６】
第１のネットワーク上に割り振られる自己の固有ＩＤを生成し、
前記第１のネットワークと異なる第２のネットワークに接続された相手機器に対して前記自己の固有ＩＤを通知し、
前記第２のネットワークに接続された相手機器の固有ＩＤを取得し、
前記自己の固有ＩＤ及び前記相手機器の固有ＩＤを比較し、
前記比較の結果、前記自己の固有ＩＤ及び前記相手機器の固有ＩＤが一致する場合には、両ＩＤが不一致となるように固有ＩＤの再設定を制御し、
さらに、
前記第１のネットワークに接続された相手機器から第１の識別情報を収集し、
前記第２のネットワークに接続された相手機器に対して前記第１の識別情報を通知し、
前記第２のネットワークに接続された相手機器から第２の識別情報を取得し、
前記第１のネットワークに接続された相手機器からの識別情報に関する問合せに対して、前記第２の識別情報を返す、
ことを特徴とするネットワーク中継方法。
【請求項７】
第１のネットワーク上に割り振られる自己の固有ＩＤを生成し、
前記第１のネットワークと異なる第２のネットワークに接続された相手機器に対して前記自己の固有ＩＤを通知し、
前記第２のネットワークに接続された相手機器の固有ＩＤを取得し、
前記自己の固有ＩＤ及び前記相手機器の固有ＩＤを比較し、
前記比較の結果、前記自己の固有ＩＤ及び前記相手機器の固有ＩＤが一致する場合には、両ＩＤが不一致となるように固有ＩＤの再設定を制御し、
さらに、
前記第１のネットワーク上の相手機器の台数を検出し、
相手機器の台数の検出結果に基づき、相手機器との接続制限に関する情報を通知する、
ことを特徴とするネットワーク中継方法。
【請求項８】
前記第１のネットワーク上の相手機器の台数を検出し、
相手機器の台数の検出結果に基づき、相手機器との接続制限に関する情報を通知する、
ことを特徴とする請求項６に記載のネットワーク中継方法。
【請求項９】
第１のネットワーク上に割り振られる自己の固有ＩＤを生成し、
前記第１のネットワークと異なる第２のネットワークに接続された相手機器に対して前記自己の固有ＩＤを通知し、
前記第２のネットワークに接続された相手機器の固有ＩＤを取得し、
前記自己の固有ＩＤ及び前記相手機器の固有ＩＤを比較し、
前記比較の結果、前記自己の固有ＩＤ及び前記相手機器の固有ＩＤが一致する場合には、両ＩＤが不一致となるように、前記自己の固有ＩＤ及び前記相手機器の固有ＩＤのうちのどちらか一方だけを再設定させる、
ことを特徴とするネットワーク中継方法。
【請求項１０】
第１のネットワーク上に割り振られる自己の固有ＩＤを生成し、
前記第１のネットワークと異なる第２のネットワークに接続された相手機器に対して前記自己の固有ＩＤを通知し、
前記第２のネットワークに接続された相手機器の固有ＩＤを取得し、
前記自己の固有ＩＤ及び前記相手機器の固有ＩＤを比較し、
前記比較の結果、前記自己の固有ＩＤ及び前記相手機器の固有ＩＤが一致する場合には、両ＩＤが不一致となるように固有ＩＤの再設定を制御し、
さらに、
前記第１のネットワークにおける接続状態の変更を検出し、
前記検出された接続状態の変更を前記第２のネットワークに接続された相手機器に通知する、
ことを特徴とするネットワーク中継方法。
【発明の詳細な説明】
【０００１】
【発明の属する技術分野】
この発明は、異なるネットワーク間でデータを送受信する中継装置及びネットワーク中継方法に関する。
【０００２】
【従来の技術】
映像や音声のように送信側と受信側で何らかの時間軸の同期が必要な同期データを伝送する規格にIEEE1394 High Performance Serial Bus規格(以後1394バス)がある。1394バスは、i.LINK，FireWire，またはDV端子として機器に搭載されている。
【０００３】
この1394バス同士を中継(ブリッジ)する規格としてIEEE 1394.1がある。このブリッジの規格は、あくまで1394バス同士を中継する規格である。よって、このブリッジの規格は、それぞれの1394バスを独立して扱い、1394バスから他の1394バスへの中継時には、中継装置が、相手先の情報、送り先の情報、1394バスの時間軸の修正などの必要な処理を行なうことになる。このブリッジの規格に対応するには、物理レベルからの対応が必要となる。よって、IEEE1394a-2000対応のLSIでは、相手先をバスIDまで含めて指定し、データ通信を行なう送信先であるブリッジが認識できないため、バスをまたいだデータの送受信が出来ない。
【０００４】
【発明が解決しようとする課題】
上記した従来技術においては、以下のような問題があった。
【０００５】
ブリッジ非対応の従来のAV機器は、異なるバスに存在する他のAV機器と通信ができない。現在のIEEE1394a-2000対応のLSIは変更が必須である。IEEE1394.1を用いない場合、２つのネットワークを接続する規格がない。
【０００６】
そこで、本発明は上記の問題を解決するためになされたものであり、この発明の目的は、異なるネットワークに接続された既存の1394バス対応機器同士の通信を可能にする中継装置又はネットワーク中継方法を提供することにある。
【０００７】
【課題を解決するための手段】
上記課題を解決し目的を達成するために、この発明の中継装置及びネットワーク中継方法は、以下のように構成されている。
【０００８】
（１）この発明の中継装置は、第１のネットワークと接続する第１の接続手段と、前記第１のネットワークと異なる第２のネットワークと接続する第２の接続手段と、前記第１のネットワーク上に割り振られる自己の固有ＩＤを生成するＩＤ生成手段と、前記第２の接続手段を介して前記第２のネットワークに接続された相手機器に対して前記自己の固有ＩＤを通知するＩＤ通知手段と、前記第２の接続手段を介して前記第２のネットワークに接続された相手機器の固有ＩＤを取得するＩＤ取得手段と、前記自己の固有ＩＤ及び前記相手機器の固有ＩＤを比較するＩＤ比較手段と、前記比較手段による比較の結果、前記自己の固有ＩＤ及び前記相手機器の固有ＩＤが一致する場合には、両ＩＤが不一致となるように固有ＩＤの再設定を制御するＩＤ再設定制御手段と、を備えている。
【０００９】
（２）この発明のネットワーク中継方法は、第１のネットワーク上に割り振られる自己の固有ＩＤを生成し、前記第１のネットワークと異なる第２のネットワークに接続された相手機器に対して前記自己の固有ＩＤを通知し、前記第２のネットワークに接続された相手機器の固有ＩＤを取得し、前記自己の固有ＩＤ及び前記相手機器の固有ＩＤを比較し、前記比較の結果、前記自己の固有ＩＤ及び前記相手機器の固有ＩＤが一致する場合には、両ＩＤが不一致となるように固有ＩＤの再設定を制御する。
【００１０】
【発明の実施の形態】
以下、図面を参照しながら本実施の形態について説明する。
【００１１】
図１は、二つのネットワーク変換装置により異なる二つのネットワークが接続されたネットワークシステムの概略構成を示す図である。図１に示すように、ネットワークシステムは、１３９４機器Ａ（１０）、１３９４無線変換装置Ａ（１１）、１３９４無線変換装置Ｂ（１２）、及び１３９４機器Ｂ（１３）を備えている。
【００１２】
１３９４機器Ａ（１０）及び１３９４無線変換装置Ａ（１１）は、１３９４バス１４（第１のネットワーク）により接続されている。１３９４無線変換装置Ｂ（１２）及び１３９４機器Ｂ（１３）は、１３９４バス１６により接続されている。１３９４無線変換装置Ａ（１１）及び１３９４無線変換装置Ｂ（１２）は、無線ネットワーク１５（第２のネットワーク）により接続されている。
【００１３】
第１のネットワークにＩＥＥＥ１３９４規格のネットワークを、第２のネットワークとして無線ＬＡＮ規格のネットワークを適用した場合の動作について説明する。
【００１４】
１３９４機器Ａ（１０）は、１３９４バス端子（ｉ．ＬＩＮＫ端子）を持ち、この端子により１３９４バス１４に接続されている。１３９４無線変換装置Ａ（１１）は、１３９４バス１４のネットワークと無線ネットワーク１５とを中継する中継装置である。１３９４無線変換装置Ｂ（１２）は、１３９４バス１６のネットワークと無線ネットワーク１５とを中継する中継装置である。１３９４機器Ｂ（１３）は、１３９４バス端子（ｉ．ＬＩＮＫ端子）を持ち、この端子により１３９４バス１６に接続されている。１３９４バス１４は、１３９４バス規格で定義されたネットワークである。無線ネットワーク１５は、無線ＬＡＮ規格で定義された無線ネットワークである。１３９４バス１６は、１３９４バス規格で定義されたネットワークである。以後の説明では、図１に示すネットワークシステムでは、４つの1394ノードしか接続されていないと仮定する。
【００１５】
図２は、１３９４無線変換装置Ａ（１１）の機能を説明するためのブロック図である。なお、１３９４無線変換装置Ｂ（１２）は、１３９４無線変換装置Ａ（１１）と同様の構成を持つものとする。また、図３は、図２に示す１３９４無線変換装置Ａ（１１）により実行されるネットワーク中継処理を説明するフローチャートである。即ち、図３は、１３９４無線変換装置Ｂ（１２）により実行されるネットワーク中継処理を説明するフローチャートでもある。さらに、図４は、１３９４無線変換装置Ａ（１１）及び１３９４無線変換装置Ｂ（１２）の両Ｐｈｙ＿ＩＤを不一致にするためのプロセスを示す模式図である。
【００１６】
図２に示すように、１３９４無線変換装置Ａ（１１）は、第１のＩ／Ｆ部２０、ノードＩＤ通知部２１、第２のＩ／Ｆ部２２、通知ＩＤ取得部２３、ＩＤ比較部２４、及びＩＤ再設定部２５を備えている。
【００１７】
第１のＩ／Ｆ部２０は、１３９４バス１４（第１のネットワーク）と接続する。また、第１のＩ／Ｆ部２０は、第１のネットワーク上に割り当てられる自己のノードＰｈｙ＿ＩＤ(自己の固有ＩＤ)を生成する（ＳＴ１０１）。ここで、生成される自己の固有ＩＤは、０か１となる。ノードＩＤ通知部２１は、第１のＩ／Ｆ部２０により割り当てられた自己の固有ＩＤを無線ネットワーク１５を介して接続する１３９４無線変換装置Ｂ（１２）に通知する（ＳＴ１０２）。第２のＩ／Ｆ部２２は、無線ネットワーク１５と接続する。通知ＩＤ取得部２３は、無線ネットワーク１５を介して通知された１３９４無線変換装置Ｂ（１２）のＰｈｙ＿ＩＤ（相手機器の固有ＩＤ）を取得する（ＳＴ１０３）。ＩＤ比較部２４は、第１のＩ／Ｆ部２０により割り当てられた自己の固有ＩＤと、通知ＩＤ取得部２４で取得された相手機器の固有ＩＤを比較し、同じＩＤか判定する（ＳＴ１０４）。ＩＤ再設定部２５は、ＩＤ比較部２４で比較されたＩＤが一致した場合（ＳＴ１０５、ＹＥＳ）、第１のＩ／Ｆ部２０によりＢｕｓ＿Ｒｅｓｅｔを発生させる（ＳＴ１０６）。つまり、ＩＤ再設定部２５は、比較された両ＩＤが不一致となるようにＩＤの再設定を制御する。この再設定の制御については後に詳しく説明する。これにより、ネットワーク変換装置同士が第２のネットワーク（例えば無線ネットワーク１５）で接続している場合、これらネットワーク変換装置に違うＩＤを持たせることができる。
【００１８】
図５は、１３９４無線変換装置Ａ（１１）のさらなる機能を説明するためのブロック図である。つまり、１３９４無線変換装置Ａ（１１）は、図２に示す構成に加えて、図５に示す構成も備える。なお、１３９４無線変換装置Ｂ（１２）は、１３９４無線変換装置Ａ（１１）と同様の構成を持つものとする。また、図６は、図５に示す１３９４無線変換装置Ａ（１１）により実行されるネットワーク中継処理を説明するフローチャートである。即ち、図６は、１３９４無線変換装置Ｂ（１２）により実行されるネットワーク中継処理を説明するフローチャートでもある。
【００１９】
図５に示すように、１３９４無線変換装置Ａ（１１）は、接続機器識別情報収集部３０、接続機器識別情報通知部３１、接続機器識別情報取得部３２、及び代理返答部３３を備えている。
【００２０】
接続機器識別情報収集部３０は、１３９４バス１４で接続されている１３９４機器（図１に示す１３９４機器Ａ（１０））のConfig ROMなどの識別情報を収集する（ＳＴ２０１）。接続機器識別情報通知部３１は、接続機器識別情報収集部３０で取得した１３９４機器（図１に示す１３９４機器Ａ（１０））の識別情報を第２のＩ／Ｆ部２２及び無線ネットワーク１５を介して接続されている１３９４無線変換装置Ｂ（１２）に通知する（ＳＴ２０２）。接続機器識別情報取得部３２は、無線ネットワーク１５を介して通知された１３９４機器（図１に示す１３９４機器Ｂ（１３））の識別情報を取得する（ＳＴ２０３）。代理返答部３３は、接続機器識別情報取得部３２で取得した１３９４機器（図１に示す１３９４機器Ｂ（１３））の識別情報を記憶し、１３９４バス１４で接続された１３９４機器（図１に示す１３９４機器Ａ（１０））から問い合わせがあると（ＳＴ２０４、ＹＥＳ）、その１３９４機器（図１に示す１３９４機器Ｂ（１３））に成り代わって返答する（ＳＴ２０５）。つまり、１３９４機器Ａ（１０）からの問合せに対して、１３９４無線変換装置Ａ（１１）は１３９４機器Ｂ（１３）に成りすまして、１３９４機器Ｂ（１３）の識別情報を返答する。これにより、１３９４無線変換装置Ａ（１１）が第２のネットワーク（無線ネットワーク１５）を介して取得した識別情報をもつ機器になりすますことができ、あたかも１３９４バス１４で接続されているように扱うことができる。
【００２１】
図１〜図５を参照した説明をまとめると、１３９４無線変換装置Ａ（１１）が、１３９４機器Ｂ（１３）と同じＰｈｙ＿ＩＤを持ち、１３９４無線変換装置Ａ（１１）が、１３９４機器Ｂ（１３）になりすまして、１３９４機器Ａ（１０）に対して応答できる。同様に、１３９４無線変換装置Ｂ（１２）が、１３９４機器Ａ（１０）と同じＰｈｙ＿ＩＤを持ち、１３９４無線変換装置Ｂ（１２）が、１３９４機器Ａ（１１）になりすまして、１３９４機器Ｂ（１３）に対して応答できる。
【００２２】
図７は、１３９４無線変換装置Ａ（１１）のさらなる機能を説明するためのブロック図である。つまり、１３９４無線変換装置Ａ（１１）は、図２及び図５に示す構成に加えて、図７に示す構成も備える。なお、１３９４無線変換装置Ｂ（１２）は、１３９４無線変換装置Ａ（１１）と同様の構成を持つものとする。また、図８は、図７に示す１３９４無線変換装置Ａ（１１）により実行されるネットワーク中継処理を説明するフローチャートである。即ち、図８は、１３９４無線変換装置Ｂ（１２）により実行されるネットワーク中継処理を説明するフローチャートでもある。
【００２３】
図７に示すように、１３９４無線変換装置Ａ（１１）は、接続ノード数検出部４０、接続ノード数判定部４１、及び接続制限通知部４２を備えている。
【００２４】
接続ノード数検出部４０は、ＩＥＥＥ１３９４規格に従って、１３９４バス１４で接続されている１３９４ノードの数を検出する（ＳＴ３０１）。例えば、各ノードから収集されるSelfIDパケットに基づき、ノード数が検出される。接続ノード数判定部４１は、例えば、接続台数検出部４０で検出された１３９４ノード数について自己ノード（１３９４無線変換装置Ａ（１１））を含めて２以下であるか判定する（ＳＴ３０２）。接続制限通知部４２は、接続台数判定部４１の判定結果を通知する（ＳＴ３０３）。例えば、自己ノードを含めて２以上のノード数が検出された場合に、その旨を通知する。例えば、接続数に制限がある旨を通知する。つまり、１３９４無線変換装置Ａ（１１）への接続はｎ台（例えば１台）に限定されている旨がユーザーに通知される。ここで言う通知は、自己のノードの表示手段に対する表示、もしくは他のノードの表示手段に対する表示を含む。
【００２５】
上記したように、１３９４無線変換装置に接続制限を付加することで、第２のネットワークを介して接続する１３９４無線変換装置のＰｈｙ＿ＩＤと第１のネットワークで接続する機器のＰｈｙ＿ＩＤとを常に一致させることができる。これにより、第１のネットワークおよび第２のネットワークを介して接続する機器同士が、さも第１のネットワークのみで接続しているかのようにやり取りを行なうことができる。また、予期しない第３者にデータを取得されないようにすることが出来る。
【００２６】
図９は、１３９４無線変換装置Ａ（１１）のさらなる機能を説明するためのブロック図である。つまり、１３９４無線変換装置Ａ（１１）は、図２、図５、及び図７に示す構成に加えて、図９に示す構成も備える。なお、１３９４無線変換装置Ｂ（１２）は、１３９４無線変換装置Ａ（１１）と同様の構成を持つものとする。また、図１０は、図９に示す１３９４無線変換装置Ａ（１１）により実行されるネットワーク中継処理を説明するフローチャートである。即ち、図１０は、１３９４無線変換装置Ｂ（１２）により実行されるネットワーク中継処理を説明するフローチャートでもある。
【００２７】
図９に示すように、１３９４無線変換装置Ａ（１１）は、機器固有ＩＤ記録部５０、機器固有ＩＤ通知部５１、機器固有ＩＤ取得部５２、機器固有ＩＤ判定部５３、接続設定部５４、及び接続制限通知部５５を備えている。
【００２８】
機器固有ＩＤ記録部５０は、無線ネットワーク１５を介して接続されている機器の機器固有ＩＤ（ＧＵＩＤ）を記録する（ＳＴ４０１）。機器固有ＩＤ通知部５１は、自己のノードの機器固有ＩＤ（ＧＵＩＤ）を無線ネットワーク１５を介して接続する機器（図１に示す１３９４無線変換装置Ｂ（１２））に通知する（ＳＴ４０２）。機器固有ＩＤ取得部５２は、無線ネットワーク１５を介して通知された機器固有ＩＤ（図１に示す１３９４無線変換装置Ｂ（１２）のＧＵＩＤ）を取得する（ＳＴ４０３）。機器固有ＩＤ判定部５３は、機器固有ＩＤ記録部５０が記録した機器固有ＩＤと、機器固有ＩＤ取得部５２で取得された機器固有ＩＤが一致するか判定する（ＳＴ４０４）。接続設定部５４は、機器固有ＩＤ判定部５３の判定により両機器固有ＩＤの一致が確認されたとき（ＳＴ４０５、ＹＥＳ）、第２のＩ／Ｆ部２２経由で無線ネットワーク１５を介した相手機器（図１に示す１３９４無線変換装置Ｂ（１２））との接続動作を実行する（ＳＴ４０６）。接続制限通知部５５は、両機器固有ＩＤの一致が確認されなかったとき（ＳＴ４０５、ＮＯ）、接続制限があることを通知する（ＳＴ４０７）。ここで言う通知は、自己のノードの表示手段に対する表示、もしくは他のノードの表示手段に対する表示を含む。
【００２９】
図１１は、１３９４無線変換装置Ａ（１１）のさらなる機能を説明するためのブロック図である。つまり、１３９４無線変換装置Ａ（１１）は、図２、図５、図７、及び図９に示す構成に加えて、図１１に示す構成も備える。なお、１３９４無線変換装置Ｂ（１２）は、１３９４無線変換装置Ａ（１１）と同様の構成を持つものとする。また、図１２は、図１１に示す１３９４無線変換装置Ａ（１１）により実行されるネットワーク中継処理を説明するフローチャートである。即ち、図１２は、１３９４無線変換装置Ｂ（１２）により実行されるネットワーク中継処理を説明するフローチャートでもある。
【００３０】
図１１に示すように、１３９４無線変換装置Ａ（１１）は、機器固有ＩＤ通知部６０、機器固有ＩＤ取得部６１、機器固有ＩＤ判定部６２、及びＩＤ再設定実行通知部６３を備えている。
【００３１】
機器固有ＩＤ通知部６０は、装置ごとに唯一に定めた機器固有ＩＤ（ＧＵＩＤ、もしくはあらかじめ設定したシリアルナンバー）を無線ネットワーク１５を介して接続する機器（図１に示す１３９４無線変換装置Ｂ（１２））に通知する（ＳＴ５０１）。機器固有ＩＤ取得部６１は、無線ネットワーク１５を介して通知された機器固有ＩＤ（図１に示す１３９４無線変換装置Ｂ（１２）のＩＤ）を取得する（ＳＴ５０２）。機器固有ＩＤ判定部６２は、判定基準を有し、自己のノードの機器固有ＩＤ（図１に示す１３９４無線変換装置Ａ（１１）のＩＤ）と、機器固有ＩＤ取得部６２で取得された機器固有ＩＤ（図１に示す１３９４無線変換装置Ｂ（１２）のＩＤ）のうち、どちらかを選択する（ＳＴ５０３）。例えば、機器固有ＩＤとしてＧＵＩＤが採用されている場合には、ＧＵＩＤの数値の大小を判断基準として、どちらか一方の機器固有ＩＤを選択する。機器固有ＩＤとしてシリアルナンバーが採用されている場合には、シリアルナンバーを示すビットフィールド内のあるビットの存在を判断基準にしてどちらか一方の機器固有ＩＤを選択する。ＩＤ再設定実行通知部６３は、機器固有ＩＤ判定部６２で選ばれたのが自己のノードであった場合には（ＳＴ５０４、ＹＥＳ）、ＩＤ再設定部２５がＩＤ比較部２４の結果により動作（バスリセットを発生）するように通知する（ＳＴ５０５）。選ばれたのが自己のノードでない場合は（ＳＴ５０４、ＮＯ）、動作通知を行なわない（ＳＴ５０６）。つまり、ＩＤ比較部２４の結果によらずＩＤ再設定部２５を動作させない。
【００３２】
これにより、１３９４無線変換装置Ａ（１１）のＩＤと１３９４無線変換装置Ｂ（１２）のＩＤとが一致する場合に、１３９４無線変換装置Ａ（１１）及び１３９４無線変換装置Ｂ（１２）のどちらか一方だけでバスリセットを発生させて、両ＩＤを不一致にすることができる。つまり、１３９４無線変換装置同士によるＩＤ同時再設定を防止し、早期に安定的にＩＤを決定することができる。また、１３９４無線変換装置Ａ（１１）及び１３９４無線変換装置Ｂ（１２）のどちらか一方だけに、ＩＤ再設定部２５を持たせるようにしてもよい。１３９４無線変換装置Ａ（１１）及び１３９４無線変換装置Ｂ（１２）のどちらか一方にしか、ＩＤ設定部２５が配置されていなければ、同時にバスリセットが発生することはない。
【００３３】
図１３は、１３９４無線変換装置Ａ（１１）のさらなる機能を説明するためのブロック図である。つまり、１３９４無線変換装置Ａ（１１）は、図２、図５、図７、図９、及び図１１に示す構成に加えて、図１３に示す構成も備える。なお、１３９４無線変換装置Ｂ（１２）は、１３９４無線変換装置Ａ（１１）と同様の構成を持つものとする。また、図１４は、図１３に示す１３９４無線変換装置Ａ（１１）により実行されるネットワーク中継処理を説明するフローチャートである。即ち、図１２は、１３９４無線変換装置Ｂ（１２）により実行されるネットワーク中継処理を説明するフローチャートでもある。
【００３４】
図１３に示すように、１３９４無線変換装置Ａ（１１）は、接続状態変更検出部７０及び接続状態変更通知部７１を備えている。接続状態変更検出部７０は、１３９４バス１４上でネットワーク状態に変更があるか否かを検出する（ＳＴ６０１）。接続状態変更通知部７１は、接続状態変更検出部７０で変更が検出された場合に（ＳＴ６０２、ＹＥＳ）、無線ネットワーク１５を介して１３９４無線変換装置Ｂ（１２）に対して、１３９４バス１４上でネットワーク状態に変更が生じたことを通知する（ＳＴ６０３）。
【００３５】
以下、上記した実施形態による効果をまとめる。
【００３６】
上記したネットワークシステムによると、第１のネットワーク（１３９４バス１４）と異なる第２のネットワーク（無線ネットワーク１５）に接続された機器を、あたかも第１のネットワークに接続された機器とみなして、ネットワーク化することができる。
【００３７】
また、１対１接続状態の第１のネットワーク（１３９４バス）を第２のネットワーク（無線）でブリッジする構成に限定することで、ＩＥＥＥ１３９４．１規格を用いなくても、相手機器のＰｈｙ＿ＩＤを決定することが可能となり、既に市販されている１３９４バス対応機器を咽んでブリッジすることができる。
【００３８】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【００３９】
【発明の効果】
この発明によれば、異なるネットワークに接続された既存の１３９４バス対応機器同士の通信を可能にする中継装置又はネットワーク中継方法を提供できる。
【図面の簡単な説明】
【図１】二つのネットワーク変換装置により異なる二つのネットワークが接続されたネットワークシステムの概略構成を示す図である。
【図２】１３９４無線変換装置の機能を説明するためのブロック図である。
【図３】図２に示す１３９４無線変換装置により実行されるネットワーク中継処理を説明するフローチャートである。
【図４】二つの１３９４無線変換装置の両Ｐｈｙ＿ＩＤを不一致にするためのプロセスを示す模式図である。
【図５】１３９４無線変換装置のさらなる機能を説明するためのブロック図である。
【図６】図５に示す１３９４無線変換装置により実行されるネットワーク中継処理を説明するフローチャートである。
【図７】１３９４無線変換装置のさらなる機能を説明するためのブロック図である。
【図８】図７に示す１３９４無線変換装置により実行されるネットワーク中継処理を説明するフローチャートである。
【図９】１３９４無線変換装置のさらなる機能を説明するためのブロック図である。
【図１０】図９に示す１３９４無線変換装置により実行されるネットワーク中継処理を説明するフローチャートである。
【図１１】１３９４無線変換装置のさらなる機能を説明するためのブロック図である。
【図１２】図１１に示す１３９４無線変換装置により実行されるネットワーク中継処理を説明するフローチャートである。
【図１３】１３９４無線変換装置のさらなる機能を説明するためのブロック図である。
【図１４】図１３に示す１３９４無線変換装置により実行されるネットワーク中継処理を説明するフローチャートである。
【符号の説明】
１０…１３９４機器Ａ
１１…１３９４無線変換装置Ａ
１２…１３９４無線変換装置Ｂ
１３…１３９４機器Ｂ
１４…１３９４バス
１５…無線ネットワーク
２０…第１のＩ／Ｆ部
２１…ノードＩＤ通知部
２２…第２のＩ／Ｆ部
２３…通知ＩＤ取得部
２４…ＩＤ比較部
２５…ＩＤ再設定部
３０…接続機器識別情報収集部
３１…接続機器識別情報通知部
３２…接続機器識別情報取得部
３３…代理返答部
４０…接続ノード数検出部
４１…接続ノード数判定部
４２…接続制限通知部
５０…機器固有ＩＤ記録部
５１…機器固有ＩＤ通知部
５２…機器固有ＩＤ取得部
５２…機器固有ＩＤ判定部
５４…接続設定部
５５…接続制限通知部
６０…機器固有ＩＤ通知部
６１…機器固有ＩＤ取得部
６２…機器固有ＩＤ判定部
６３…ＩＤ再設定実行通知部
７０…接続状態変更検出部
７１…接続状態変更通知部
【図１】
0003688664.tif 000002
【図２】
0003688664.tif 000003
【図３】
0003688664.tif 000004
【図４】
0003688664.tif 000005
【図５】
0003688664.tif 000006
【図６】
0003688664.tif 000007
【図７】
0003688664.tif 000008
【図８】
0003688664.tif 000009
【図９】
0003688664.tif 000010
【図１０】
0003688664.tif 000011
【図１１】
0003688664.tif 000012
【図１２】
0003688664.tif 000013
【図１３】
0003688664.tif 000014
【図１４】
0003688664.tif 000015